(57)【要約】【課題】プロジェクト情報を表示する方法、システム及びコンピュータ読取可能記憶媒体を開示する。【解決手段】プロジェクト情報を、プロジェクトに関連した電子的な計画情報を受信することによって表示することができ、電子的な計画情報は、プロジェクトの二つ以上の段階に関連するとともにこれらの二つ以上の段階中に生じる少なくとも一つのマイルストーンを有する。その後、ユーザに対する視覚的な表示及びユーザにより知覚的に提示するために、受信した電子的な計画情報を、受信した電子的な計画情報のグラフ表示に変換する。グラフ表示は、二つ以上の段階に対応する二つ以上のバーと、マイルストーンが生じる時間に対応する二つ以上のバーの間の接続部と、を有する。【選択図】図３
2012512459.tif 000002
【特許請求の範囲】
【請求項１】
プロジェクト情報を表示する方法であって、
プロジェクトに関連した電子的な計画情報を受信するステップであって、受信した前記電子的な計画情報は、少なくとも一つのマイルストーンを有し、前記少なくとも一つのマイルストーンは、前記プロジェクトの二つ以上の段階に関連し、前記二つ以上の段階中に生じるステップと、
ユーザに視覚的な表示を行うために、受信した前記電子的な計画情報を、受信した前記電子的な計画情報のグラフ表示に変換するステップと、
ユーザによる知覚のために、受信した前記電子的な計画情報の前記グラフ表示を行うステップであって、前記グラフ表示は、前記二つ以上の段階に対応する二つ以上のバーと、前記マイルストーンが生じるときに対応する前記二つ以上のバーの間の接続部と、を有するステップと、
を備えることを特徴とする方法。
【請求項２】
前記接続部を形成するために、前記グラフ表示の前記二つ以上のバーが交差する請求項１に記載の方法。
【請求項３】
前記二つ以上のバーは、第１の方向に延在する第１の直線部及び前記第１の方向と異なる第２の方向に延在する第２の直線部を有する第１のバーと、を有する請求項２に記載の方法。
【請求項４】
前記二つ以上のバーは、第３の方向に延在する第３の直線部を有する第２のバーを有する請求項３に記載の方法。
【請求項５】
前記接続部を形成するために、前記第１のバーの第２の直線部及び前記第２のバーの第３の直線部が交差する請求項４に記載の方法。
【請求項６】
前記グラフ表示は、前記二つ以上のバーの交差部に配置されたマイルストーンに対応する記号を更に有する請求項２に記載の方法。
【請求項７】
前記グラフ表示は、前記接続部を形成するために前記二つ以上のバーに交差する接続線を更に有する請求項１に記載の方法。
【請求項８】
前記接続線は、前記マイルストーンが生じるときに対応する軸線に沿って延在する請求項７に記載の方法。
【請求項９】
前記グラフ表示は、前記接続線及び前記二つ以上のバーの交差部に配置されたマイルストーンに対応する記号を更に有する請求項７に記載の方法。
【請求項１０】
前記グラフ表示を行うステップは、前記グラフ表示を視覚表示装置に表示するステップを備える請求項１に記載の方法。
【請求項１１】
前記変換するステップは、コンピュータプロセッサによって、受信した前記電子的な計画情報を前記グラフ表示に変換するステップを備える請求項１に記載の方法。
【請求項１２】
前記受信するステップは、前記コンピュータプロセッサによって、前記電子的な計画情報を受信するステップを備える請求項１２に記載の方法。
【請求項１３】
プロジェクト情報を表示するシステムであって、
プロジェクトに関連した電子的な計画情報を受信する手段であって、受信した前記電子的な計画情報は、少なくとも一つのマイルストーンを有し、前記少なくとも一つのマイルストーンは、前記プロジェクトの二つ以上の段階に関連し、前記二つ以上の段階中に生じる手段と、
ユーザに視覚的な表示を行うために、受信した前記電子的な計画情報を、受信した前記電子的な計画情報のグラフ表示に変換する手段と、
ユーザによる知覚のために、受信した前記電子的な計画情報の前記グラフ表示を行う手段であって、前記グラフ表示は、前記二つ以上の段階に対応する二つ以上のバーと、前記マイルストーンが生じるときに対応する前記二つ以上のバーの間の接続部と、を有する手段と、
を備えることを特徴とするシステム。
【請求項１４】
前記グラフ表示を行う手段は、前記グラフ表示を視覚表示装置に表示する手段を備える請求項１３に記載のシステム。
【請求項１５】
前記変換する手段は、コンピュータプロセッサによって、受信した前記電子的な計画情報を前記グラフ表示に変換する手段を備える請求項１３に記載のシステム。
【請求項１６】
前記受信する手段は、前記コンピュータプロセッサによって、前記電子的な計画情報を受信する手段を備える請求項１５記載のシステム。
【請求項１７】
コンピュータ読取可能記憶媒体であって、前記コンピュータ読取可能記憶媒体は、プロジェクト情報を表示するために、
プロジェクトに関連した電子的な計画情報を受信する動作であって、受信した前記電子的な計画情報は、少なくとも一つのマイルストーンを有し、前記少なくとも一つのマイルストーンは、前記プロジェクトの二つ以上の段階に関連し、前記二つ以上の段階中に生じる動作と、
ユーザに視覚的な表示を行うために、受信した前記電子的な計画情報を、受信した前記電子的な計画情報のグラフ表示に変換する動作と、
ユーザによる知覚のために、受信した前記電子的な計画情報の前記グラフ表示を行う動作であって、前記グラフ表示は、前記二つ以上の段階に対応する二つ以上のバーと、前記マイルストーンが生じるときに対応する前記二つ以上のバーの間の接続部と、を有する動作と、
を実行するためのコンピュータ実行可能な命令を有することを特徴とするコンピュータ読取可能記憶媒体。
【請求項１８】
前記グラフ表示を行う動作は、前記グラフ表示を視覚表示装置に表示する請求項１７に記載のコンピュータ読取可能記憶媒体。
【請求項１９】
前記変換する動作は、コンピュータプロセッサによって、受信した前記電子的な計画情報を前記グラフ表示に変換する請求項１７に記載のコンピュータ読取可能記憶媒体。
【請求項２０】
前記受信する動作は、前記コンピュータプロセッサによって、前記電子的な計画情報を受信する手段を備える請求項１９記載のコンピュータ読取可能記憶媒体。
【発明の詳細な説明】
【技術分野】
【０００１】
ガントチャートは、プロジェクトスケジュールを時間関数として表すために水平バーを用いるバーチャートである。プロジェクトの様々な段階を、ガントチャート上で異なるバーによって表すことができる。プロジェクトスケジュールを追跡するに際し、プロジェクトの各段階がどのようにプロジェクトの他の段階に相関するかを知ることが有用であることがある。従来のガントチャートは、そのような情報を提供しない。したがって、プロジェクト情報を表示するための改善された方法を必要とする。
【発明の概要】
【課題を解決するための手段】
【０００２】
本発明の態様は、プロジェクト情報を表示する方法、システム及びコンピュータ読取可能記憶媒体で実施される。プロジェクト情報を、プロジェクトに関連した電子的な計画情報を受信することによって表示することができ、受信した電子的な計画情報は、プロジェクトの二つ以上の段階に関連するとともにこれらの二つ以上の段階中に生じる少なくとも一つのマイルストーン(milestone)を有する。その後、ユーザに対する視覚的な表示及びユーザにより知覚的に提示するために、受信した電子的な計画情報を、受信した電子的な計画情報のグラフ表示に変換する。グラフ表示は、二つ以上の段階に対応する二つ以上のバーと、マイルストーンが生じる時間に対応する二つ以上のバーの間の接続部と、を有する。
【０００３】
本発明は、添付図面に関連して読む際に以下の詳細な説明から最もよく理解され、同様な要素は同一の参照番号を有する。複数の同様な要素が存在する場合、単一の参照番号を、特定の要素を言及する小文字表記とともに複数の同様な要素に割り当てる。要素を集合的に言及し又は特定されない一つ以上の要素を言及するとき、小文字表記を省略する。これは、一般的なやり方に従って図面の種々の形態を寸法通りに表さないことを強調する。それどころか、種々の形態の寸法を、明瞭のために任意に増減する。添付図面には以下の図が含まれる。
【図面の簡単な説明】
【０００４】
【図１】図１は、本発明の一態様によるプロジェクトに関連した情報を表示する典型的なシステムを表すブロック図である。
【図２】図２は、本発明の一態様によるプロジェクトに関連した情報を表示する典型的なステップのフローチャートである。
【図３】図３は、本発明の一態様によるプロジェクト情報チャートである。
【発明を実施するための形態】
【０００５】
図１は、本発明の一態様によるプロジェクトに関連した情報を表示する典型的なシステム１００を表すブロック図である。典型的なプロジェクトは、例えば、ソフトウェア開発プロジェクト、建設プロジェクト、機械装置開発プロジェクト、電子装置開発プロジェクト及び造園又は建築プロジェクトを含むことができるが、それに限定されない。プロジェクト情報は、例えば、プロジェクト段階、プロジェクトスケジュール、又はプロジェクトに関連したリソースデータを有することができる。プロジェクト段階を、プロジェクトを完了するために完了する必要がある異なるステップ又はサブプロジェクトとすることができる。プロジェクト段階は、各段階内にマイルストーンを有することができる。ここで用いられているように、用語「マイルストーン」は、プロジェクト段階中に生じる重大なイベント又は到達(achievement)を意味する。プロジェクト情報に含まれるマイルストーンは、複数のプロジェクト段階に対応することができる。リソースデータは、例えば、コスト、人材、又はプロジェクト若しくはプロジェクト段階に関連した他のリソースを含むことができる。
【０００６】
総括として、システム１００は、入力装置１０２、プロセッサ１０４、記憶装置１０６及び出力装置１０８を有する。システム１００の他の詳細を、以下説明する。
【０００７】
入力装置１０２は、ユーザからの入力を受信し、電子的なデータをプロセッサ１０４に提供する。電子的なデータは、プロジェクト情報を有することができる。典型的な実施の形態において、入力装置１０２を、キーボード、マウス、又は外部ソースから入力を受信することができる他のコンピュータ周辺機器とすることができる。計画情報の入力を、入力装置１０２から入力を受信するために、例えば、データエントリーボックス(data entry box)及び／又はドロップダウンメニュー(drop down menu)を含む、出力装置１０８に表示されるグラフィカルユーザインタフェース（ＧＵＩ）の使用により容易にすることができる。本発明の使用に適切なＧＵＩは、ここの記載から当業者によって理解される。
【０００８】
プロセッサ１０４は、入力装置１０２から電子的なデータを受信し、その電子的なデータを、ユーザに視覚的な表示を行うためのグラフ表示に変換する。プロセッサ１０４は、受信した電子的なデータを（後に説明する）記憶装置１０６に格納することができる。典型的な実施の形態において、プロセッサ１０４は、電子的なデータに含まれるプロジェクト情報のグラフ表示を生成することができる。グラフ表示は、時間関数として変動する二つ以上のバーを有することができる。バーは、異なるプロジェクト又は同一プロジェクトの異なる段階に対応する。グラフ表示は、これらの段階又はプロジェクトによって共有されるマイルストーンに対応する二つ以上のバーの間の接続部を更に有する。接続部は、二つ以上のバーの交差の形態又は二つ以上のバーを接続する接続線の形態をとることができる。プロセッサ１０４は、グラフ表示を（後に説明する）出力装置１０８に提供することができる。本発明の使用に適切なプロセッサは、ここの記載から当業者によって理解される。
【０００９】
記憶装置１０６は、プロセッサ１０４から受信した電子的なデータを記憶する。典型的な実施の形態において、プロセッサ１０４は、入力装置１０２からプロジェクト情報を受信することができ、記憶のためにプロジェクト情報及び／又はプロジェクト情報のグラフ表示を記憶装置１０６に送信することができる。プロセッサ１０４は、プロジェクト情報のグラフ表示を生成し及び／又は記憶されたグラフ表示にアクセスするために、記憶されたプロジェクト情報にアクセスすることができる。本発明の使用に適切な記憶装置は、ここの記載から当業者によって理解される。
【００１０】
出力装置１０８は、プロセッサ１０４から電子的なデータを受信し、ユーザに視覚的な表示を行うためにデータを出力する。電子的なデータは、プロジェクト情報のグラフ表示を含むことができる。典型的な実施の形態において、出力装置１０８を、コンピュータディスプレイ、プリンタ、又はユーザに視覚的な表示を行うために受信した電子的なデータから出力を生成することができる他のコンピュータ周辺機器とすることができる。
【００１１】
図２は、本発明の一態様によるプロジェクトに関連した情報を表示する典型的なステップのフローチャート２００である。説明を簡単にするために、図２のステップを、図１のシステムの構成要素を参照しながら説明する。本発明の精神及び範囲を逸脱することなく一つ以上のステップを省略し及び／又は異なる構成要素を利用できることは、ここの説明から当業者によって理解される。
【００１２】
ステップ２０２において、計画情報を受信する。典型的な実施の形態において、プロジェクトに関連した計画情報を、プロセッサ１０４により入力装置１０２から受信することができる。典型的な計画情報は、例えば、プロジェクト段階、プロジェクトスケジュール、又はプロジェクトに関連したリソースデータを有することができる。プロジェクト段階は、各段階内にマイルストーンを有することができる。計画情報に含まれるマイルストーンは、複数のプロジェクト段階に対応することができる。計画情報の入力を、データエントリーボックス(data entry box)及び／又はドロップダウンメニュー(drop down menu)を含むグラフィカルユーザインタフェース（ＧＵＩ）の使用により容易にすることができる。本発明の使用に適切なＧＵＩは、ここの記載から当業者によって理解される。
【００１３】
ステップ２０４において、受信した計画情報を格納する。典型的な実施の形態において、プロセッサ１０４は、計画情報を記憶装置１０６に記憶させることができる。
【００１４】
ステップ２０６において、計画情報を、ユーザに対して視覚的な表示を行うためにグラフ表示に変換する。典型的な実施の形態において、プロセッサ１０４は、プロジェクトに関連した計画情報からグラフ表示を生成することができる。プロセッサ１０４は、記憶された計画情報又は受信した計画情報から情報を生成することができる。グラフ表示は、時間関数として変動する二つ以上のバーを有することができる。バーは、異なるプロジェクト又は同一プロジェクトの異なる段階に対応することができる。グラフ表示は、これらの段階又はプロジェクトによって共有されるマイルストーンに対応する二つ以上のバーの間の接続部を更に有する。接続部は、二つ以上のバーの交差の形態又は二つ以上のバーを接続する接続線の形態をとることができる。例えば、プロジェクトマイルストーンを共有する二つの段階は、マイルストーンに到達すべき時点で交差するバーを有することができる。
【００１５】
ステップ２０８において、ユーザによる知覚のためにグラフ表示を提供する。典型的な実施の形態において、プロセッサ１０４は、グラフ表示を出力装置１０８に送信することができる。その後、出力装置１０８は、グラフ表示をユーザに提供することができる。例えば、グラフ表示を、モニタのような視覚的な表示装置上で行い又はプリンタを用いて紙に印刷することができる。
【００１６】
図３は、本発明の一態様によるユーザに提示するためのプロジェクト情報の典型的なグラフ表示３００を示す。グラフ表示は、七つのバー３０２ａ〜３０２ｇを示す。各バー３０２ａ〜３０２ｇは、プロジェクトのスケジュールされた段階に対応することができ、バーの長さは、当該段階を完了するために割り当てられた時間に対応することができる。
【００１７】
プロジェクトの各段階は、それに関連した一つ以上のマイルストーンを有することができる。典型的な実施の形態において、マイルストーンを、プロジェクトの一つ以上の段階に関連させることができる。マイルストーンを、関連のプロジェクトに対応するバーに配置された記号として表すことができる。例えば、一つのみの段階に関連したマイルストーンを、バーから突出するスパイク３１４として表すことができる。二つ以上の段階に関連したマイルストーンを、各段階に対応する二つ以上のバーの間の接続部として表すことができる。二つ以上のバーの間の接続部は、二つ以上のバーの交差、例えば、接続部３０４、二つ以上のバーを交差するマイルストーンライン、例えば、接続部３０６、又はバーの交差及びマイルストーンラインの交差の組合せ、例えば、接続部３０８の形態をとることができる。
【００１８】
マイルストーンに対応する交差部を、二つのバーが共通のマイルストーン交差を有する場合又はマイルストーンライン及びバー交差の場合の記号３１０を用いることによって表すことができる。バーとマイルストーンラインとの交差部が表されない場合、位置３１２に示すように、記号が用いられない。マイルストーンラインは、マイルストーンが生じるときに対応する軸線に沿って延在することができる。
【００１９】
使用の際に、プロジェクトに関連した第１の段階を表す第１のバー３０２ａは、第１の方向に延在する第１の直線部３１６及び第２の方向に延在する第２の直線部３１８を有することができる。プロジェクトに関連した第２の段階を表す第２のバー３０２ｅは、第３の方向に延在する第３の直線部３２０を有する。両方の段階に関連したマイルストーンを、第２の直線部３１８と第３の直線部２１０との間の交差部３２２によって表すことができる。
【００２０】
上述した一つ以上のステップを、コンピュータ読取可能記憶媒体に記憶されたコンピュータ実行可能な命令で実施することができる。コンピュータ読取可能記憶媒体を、例えば、光ディスク、磁気ディスク、固体素子のような汎用又は特定目的のコンピュータによって実行するための命令を格納することができるほとんど全てのタンジブルな(tangible)記憶媒体とすることができる。また、コンピュータ実行可能な命令を、プロジェクト情報を表すために特定目的のコンピュータで実現することができる。
【００２１】
ここでは、本発明を、特定の実施の形態を参照しながら図示し及び説明したが、本発明は、示した詳細な説明に限定されるものではない。更に正確に言えば、種々の変更を、特許請求の範囲内で本発明を逸脱することなく詳細な説明において行うことができる。
【図１】
2012512459.tif 000003
【図２】
2012512459.tif 000004
【図３】
2012512459.tif 000005
【国際調査報告】
2012512459.tif 000006
2012512459.tif 000007